(57)【要約】【課題】耕耘爪の取付部の強度を充分に確保が可能で、耐久性があり、耕耘爪の取付や取外しの作業が容易な耕耘爪取付構造を有した耕耘作業機を提供する。【解決手段】爪取付ホルダー６１は、解放部が左右側方を向いた断面コ字状のホルダー部材６１０と、ホルダー部材６１０のコ字状の底面と対抗配置されることで耕耘爪６２取付基部が嵌挿可能な断面長方形の嵌挿孔を形成するホルダー側板６１１とで構成され、ホルダー側板６１１は、側面視回転軸６０中心を点対称とした位置に設けた他の爪取付ホルダー６１のホルダー側板６１１を兼用している単体の板状で、耕耘爪６２は、ホルダー部材６１０の断面コ字状の底面とホルダー側板６１１を回転軸６０と平行に貫通した一つの取付孔に挿通された締結材６１４によって固着されている耕耘作業機による。【選択図】      図３
2015208305.tif 000002
【特許請求の範囲】
【請求項１】
機体と、該機体に進行方向と直行する水平方向の回転軸に多数の耕耘爪を放射状に設けた耕耘体と、該耕耘体の後方で整地作業を行う整地体とを備えた耕耘作業機において、
前記耕耘体は、前記機体に回転自在に設けた回転軸と、該回転軸の外周に突設され軸方向に複数の耕耘爪を放射状に取付る爪取付ホルダーと、該爪取付ホルダーに取付けられる耕耘爪を有し、前記爪取付ホルダーは、解放部が左右側方を向いた断面コ字状のホルダー部材と、ホルダー部材のコ字状の底面と対抗配置されることで耕耘爪取付基部が嵌挿可能な断面長方形の嵌挿孔を形成するホルダー側板とで構成され、ホルダー側板は、側面視前記回転軸中心を点対称とした位置に設けた他の爪取付ホルダーのホルダー側板を兼用している単体の板状で、ホルダー部材の断面コ字状の底面とホルダー側板を前記回転軸と平行に貫通した一つの取付孔に挿通された締結材によって耕耘爪は固着されていることを特徴とした耕耘作業機。
【発明の詳細な説明】
【技術分野】
【０００１】
本発明は、トラクタに装着されて使用される農作業機であり、耕耘爪を軸方向に多数放射状に列設して取付けられた回転軸を有する耕耘体によって圃場を耕耘する耕耘ロータリに関する。詳細には耕耘ロータの耕耘体の回転軸に耕耘爪を取付ける部分の構造に関するものである。
【背景技術】
【０００２】
従来、圃場を耕耘する耕耘ロータリの耕耘体の回転軸に耕耘爪を取付ける構造としては、特開２００３−２８４４０２号公報の「耕耘爪のホルダ」や特開２０１２−１４３２１９号公報の「農作業機」に示される取付構造が公知である。
【先行技術文献】
【特許文献】
【０００３】
【特許文献１】特開２００３−２８４４０２号公報
【特許文献２】特開２０１２−１４３２１９号公報
【発明の概要】
【発明が解決しようとする課題】
【０００４】
特許文献１に記載の耕耘爪の取付は、耕耘爪４，２３ごとにそれぞれ耕耘爪ホルダ１，２０を回転軸である耕耘軸２，２１に溶接して設け、一つのボルト・ナット３，２２により締結して取り付けている。この構造は、ボルト・ナット３，２２の締結が一か所であるため、耕耘爪４，２３の取付や取外しの作業が容易に行えるが、耕耘爪ホルダ１，２０の回転軸である耕耘軸２，２１への溶接長さが十分取れないため、強度上不利な構造となる問題を有する。
【０００５】
また、特許文献２に記載の耕耘爪の取付は、回転軸２１に溶接された一枚のフランジ３０に複数の耕耘爪が取付けられた構造となっていて、耕耘爪ごとにそれぞれ設けた２カ所の締結孔にボルトを挿通させ取付けられている。回転軸２１に溶接された一枚のフランジ３０は回転軸２１の外周に全周溶接できるため強度上は耐久性のある構造とすることができるが、耕耘爪の締結には２カ所以上の締結部が必要であり、耕耘爪の取付や取外しの作業が容易に行えないという問題を有する。
【０００６】
本発明はこのような問題を解決することを目的としたもので、耕耘爪の取付部の強度を充分に確保が可能で、耐久性があり、耕耘爪の取付や取外しの作業が容易な耕耘爪取付構造を有した耕耘作業機を提供することを目的とする。
【課題を解決するための手段】
【０００７】
上記課題を解決するために、機体と、該機体に進行方向と直行する水平方向の回転軸に多数の耕耘爪を放射状に設けた耕耘体と、該耕耘体の後方で整地作業を行う整地体とを備えた耕耘作業機において、前記耕耘体は、前記機体に回転自在に設けた回転軸と、該回転軸の外周に突設され軸方向に複数の耕耘爪を放射状に取付る爪取付ホルダーと、該爪取付ホルダーに取付けられる耕耘爪を有し、前記爪取付ホルダーは、解放部が左右側方を向いた断面コ字状のホルダー部材と、ホルダー部材のコ字状の底面と対抗配置されることで耕耘爪取付基部が嵌挿可能な断面長方形の嵌挿孔を形成するホルダー側板とで構成され、ホルダー側板は、側面視前記回転軸中心を点対称とした位置に設けた他の爪取付ホルダーのホルダー側板を兼用している単体の板状で、ホルダー部材の断面コ字状の底面とホルダー側板を前記回転軸と平行に貫通した一つの取付孔に挿通された締結材によって耕耘爪は固着されていることを特徴とした耕耘作業機を提案する。
【発明の効果】
【０００８】
本発明の耕耘爪取付構造により、耕耘爪の取付部の強度が充分に確保できるとともに、耕耘爪の取付や取外しの作業が容易に行える耕耘作業機を提供することができる。
【図面の簡単な説明】
【０００９】
【図１】本発明の実施例の耕耘作業機の側面図である。
【図２】本発明の実施例の耕耘作業機の駆動部を説明するための断面した平面図である。
【図３】本発明の実施例の耕耘体を断面した要部側面図である。
【図４】本発明の実施例の耕耘体の一部断面した平面図である。
【図５】本発明の耕耘爪取付基部がホルダーの嵌挿孔に挿入された状態の断面図である。
【発明を実施するための形態】
【００１０】
実施の一形態を、図示例に基づいて説明する。図１は本発明の実施例の耕耘作業機の作業進行方向の左側からの側面図、図２は本発明の実施例の耕耘作業機の駆動部を説明するための断面した平面図、図３は本発明の実施例の耕耘体の回転軸を断面した側面図、図４は本発明の実施例の耕耘体の一部断面した平面図、図５は本発明の耕耘爪取付基部がホルダーの嵌挿孔に挿入された状態の断面図である。走行作業車両であるトラクタ（図示せず）の後部には昇降リンクである３点リンク機構が設けられていて、耕耘作業機Ａの前方部の装着部３に連結され、耕耘作業機Ａは昇降自在に連結されるとともに、トラクタ側から出力される動力によって駆動される。
【００１１】
装着部３は、耕耘作業機Ａの前方側左右中央部に設けてあり、上部中央のトップリンクピン３１とその下方左右に位置する一対のロアリンクピン３０により構成されていて、トラクタ側の３点リンク機構（図示せず）のトップリンクとロアリンクにそれぞれ連結されトラクタに装着される。
【００１２】
前方装着部３の中央部には、入力ケース１が設けられ、前方に向け入力軸１０が突設されている。入力軸１０は、トラクタの出力軸（図示せず）とユニバーサルジョイント等で連結されトラクタ側の動力が入力される。
【００１３】
入力ケース１から左右側方にそれぞれ一体的に突出して丸パイプで構成されたパイプフレーム２０が設けられ、左右一方側（図２においては左側）のパイプフレーム２０の突出端部から下方に向かって延設された上下方向の伝動ケース５と、左右他方側のパイプフレーム２０の突出端部から下方に向かって延設された上下方向のサポートフレーム２１とによって機体２を構成していて、左右方向の回転軸６０を回転自在に、伝動ケース５下端部とサポートフレーム２１の下端部との間に架設支持している。
【００１４】
回転軸６０には、放射状に一定間隔を設けて耕耘爪６２が多数取り付けられ、耕耘体６を構成している。耕耘体６上方部はロータカバー６３により覆われていて、後方部はロータカバー６３の後端部に前方端部を上下方向回動自在に連結された整地体４が位置し、耕耘体６により耕耘された土壌の飛散を受け止めるとともに整地体４後方回動端部によって整地が行われる。整地体４は、整地体４上面側と機体２側とに架け渡されて連結されたロッド４０に設けられたスプリングによって回動する方向に付勢されている。
【００１５】
入力ケース１の入力軸１０から入力された動力は、入力ケース１に内装されるギヤ１２によって減速され、左右一方側の側方に突設したパイプフレーム２０（図２においては左側）内を通る出力軸１１により伝動ケース５内に伝達される。伝動ケース５内の出力軸１１端部には出力スプロケット５０が固着され、伝動ケース５下端部に支持された回転軸６０の端部には回転軸スプロケット５２が固着されていて、この間に巻着されたローラチェーン５１により動力が伝達され回転軸６０が回転駆動される。
【００１６】
伝動ケース５側の回転軸６０の支持部は、ベアリングにより回転自在に支持されていて、伝動ケース５内に貯留された潤滑オイルにより潤滑されている。伝動ケース５の上部にはオイル給油口（図示せず）が設けられ、給油された潤滑オイルによりローラチェーン５１やベアリングが潤滑される。
【００１７】
回転軸６０のサポートフレーム２１側の支持部は、図２に示すようにサポートフレーム２１にボルトおよびナット等で取り付けられたベアリングリテーナ７１を介してサポートフレーム２１に保持されたベアリング７０により回転自在に支持されている。
【００１８】
図３、図４、図５において耕耘体６の耕耘爪６２の取付部について説明する。回転軸６０には、軸方向に対向して直交した方向の面を有するホルダー側板６１１が軸方向に一定間隔で複数溶接にて固着されている。ホルダー側板６１１は、回転軸６０の軸方向から見た状態が小判状の形状となっていて、中心部を回転軸６０が貫通して溶接されている。また、ホルダー側板６１１の小判状面には、耕耘爪６２が保持される爪取付ホルダー６１が回転軸６０中心を点対称とした位置に２カ所設けられている。爪取付ホルダー６１は、解放部が左右側方の回転軸芯と平行の方向を向いた断面コ字状のホルダー部材６１０がホルダー側板６１１に溶接され形成されている。ホルダー部材６１０のコ字状の底面と対抗配置されるホルダー側板６１１とで形成される断面矩形の嵌挿孔６１２に耕耘爪６２の取付基部が嵌挿され耕耘爪６２が取付けられる。嵌挿孔６１２は、回転軸６０の回転方向に対し耕耘爪６２基部が後退した角度で挿入される方向に向けて設けられている。
【００１９】
ホルダー部材６１０の断面コ字状の底面とホルダー側板６１１を回転軸６０と平行に貫通した一つの取付孔６１３に、嵌挿孔６１２に挿入された耕耘爪６２の取付孔を重合させ、これに挿通された締結材６１４によって耕耘爪６２は取付けられている。締結材６１４は、本例においてはボルトとナットで構成されている。取付孔６１３のホルダー部材６１０側は、締結材６１４であるボルトの六角状頭部が嵌合できる六角形に成型されていて、ボルトをホルダー部材６１０側から挿入すると頭部が嵌合されボルトの回り止めとなっている。ホルダー側板６１１のホルダー部材６１０と反対側の面に突出したボルトにナットを螺合させ締め付けると耕耘爪６２はホルダー側板６１１に密着して固定される。耕耘爪６２の取付は、ボルト・ナットである締結材６１４が一か所であるため、耕耘爪６２の交換が容易に行え、ホルダー側板６１１とホルダー部材６１０が回転軸６０に十分に溶接長さを有して爪取付ホルダー６１部を構成しているため、耕耘爪６２の取付部の強度を充分に確保が可能で、耐久性のある耕耘作業機を提供できる。
【００２０】
ホルダー側板６１１は、回転軸６０の軸方向に一定間隔で複数溶接にて固着されていて、側面視耕耘爪６２が放射状となるようにそれぞれの角度を変えて溶接されている。
【００２１】
次に、本発明の耕耘作業機Ａによって耕耘作業を行うには、走行機であるトラクタの３点リンク機構に装着部３のロアリンクピン３０及びトップリンクピン３１により連結させ、トラクタの３点リンク機構により上下に昇降可能な状態とする。また、トラクタの出力軸とユニバーサルジョイント等で入力軸１０と連結させ動力の入力が可能な状態とする。
【００２２】
耕耘圃場において、トラクタを操作して耕耘体６を回転させ３点リンク機構を下降させると、耕耘体６の耕耘爪６２により土壌が耕耘される。この状態でトラクタを走行させると、順次圃場を耕耘することができる。また、耕耘体６の後方部には整地体４が位置していて、耕耘された土壌表層部を整地しながら作業が行われる。
【００２３】
耕耘体６の爪取付ホルダー６１部は、ホルダー側板６１１が小判状の形状となっていて中心部を回転軸６０が貫通して溶接され、ホルダー側板６１１の小判状面には、回転軸６０中心を点対称とした位置に爪取付ホルダー６１が２カ所設けられていて、２カ所の爪取付ホルダー６１部は一枚のホルダー側板６１１を兼用して使用する構成であり、耕耘による抵抗を受け止める強度を十分に確保した構造である。ホルダー側板６１１は、回転軸６０の軸方向に一定間隔で複数溶接にて固着されていて、側面視耕耘爪６２が放射状となるようにそれぞれの位相を変えて溶接されていることにより、耕耘抵抗による振動の発生が軽減され、作業が快適に行える。
【００２４】
耕耘作業により摩耗した耕耘爪６２を交換する場合は、爪取付ホルダー６１の一か所の締結材６１４を外すのみで爪を交換できるため、交換作業が効率よく行える。
【産業上の利用可能性】
【００２５】
この発明は、回転軸に複数の耕耘爪を取付けた耕耘体を有し、トラクタ等の走行機後方に装着されて耕耘体により耕耘作業を行う耕耘作業機に適用できる。
【符号の説明】
【００２６】
１    入力ケース
１０  入力軸
１１  出力軸
１２  ギヤ
２    機体
２０  パイプフレーム
２１  サポートフレーム
３    装着部
３０  ロアリンクピン
３１  トップリンクピン
４    整地体
４０  ロッド
５    伝動ケース
５０  出力スプロケット
５１  ローラチェーン
５２  回転軸スプロケット
６    耕耘体
６０  回転軸
６１  爪取付ホルダー
６１０  ホルダー部材
６１１  ホルダー側板
６１２  嵌挿孔
６１３  取付孔
６１４  締結材（ボルト・ナット）
６２  耕耘爪
６３  ロータカバー
７    軸受部
７０  ベアリング
７１  ベアリングリテーナ
Ａ    耕耘作業機
【図２】
2015208305.tif 000003
【図１】
2015208305.tif 000004
【図３】
2015208305.tif 000005
【図４】
2015208305.tif 000006
【図５】
2015208305.tif 000007